【手続補正書】
【提出日】平成24年6月22日(2012.6.22)
【手続補正１】
【補正対象書類名】特許請求の範囲
【補正対象項目名】全文
【補正方法】変更
【補正の内容】
【特許請求の範囲】
【請求項１】
移動無線通信ネットワーク（１）を介して第１の基地局（２５）との間で有効データを伝送する移動局（１０）であって、該有効データはその伝送に先行してデータ単位にまとめられる、移動局（１０）において、
前記データ単位の伝送のために伝送の現在の状態を表す伝送特化情報であって、前記第１の基地局（２５）の上位にある第１のネットワークユニット（５０）内に格納される伝送特化情報に対応する伝送特化情報を格納する格納手段と、
前記移動局（１０）が前記第１の基地局（２５）から第２の上位ネットワークユニット（５５）を有する第２の基地局（３０）へ接続切替する際に、接続切替後の伝送が伝送の現在の状態からの直接の継続であるようにするために、前記第１の上位ネットワークユニット（５０）に格納された伝送特化情報を前記第２の上位ネットワークユニット（５５）に伝送すべきか否かを前記第１の上位ネットワークユニット（５０）に通知する通知手段と、
を備えることを特徴とする移動局（１０）。
【請求項２】
前記データ単位の伝送に先行して前記データ単位の各々に付加される制御情報であって、当該制御情報の伝送に先行して差分符号化によって圧縮される前記制御情報の符号化及び復号のために、前記格納手段は、前記第１の上位ネットワークユニット（５０）内に格納されるコードブック（１５０）と同一のコードブック（１５０）を格納し、
前記移動無線通信ネットワーク（１）では、前記第１の上位ネットワークユニット（５０）に格納されたコードブック（１５０）が、前記接続切替の際に、伝送特化情報とともに前記第２の上位ネットワークユニット（５５）に伝送される、
請求項１記載の移動局（１０）。
【請求項３】
前記移動局（１０）と前記第１の基地局（２５）との間でのデータ単位の伝送のための接続形成に先行して、またはこの接続形成の際に、前記通知手段は、第１のシグナリング情報を前記第１の上位ネットワークユニット（５０）に伝送し、前記移動局（１０）は、前記第１のシグナリング情報によって、前記第１の上位ネットワークユニット（５０）とは異なる新たな上位ネットワークユニットを有する基地局への接続切替の際に、前記新たな上位ネットワークユニットに対して伝送特化情報を伝送すべきか否かを、前記第１の上位ネットワークユニット（５０）に通知する、請求項１または２に記載の移動局（１０）。
【請求項４】
前記接続切替に先行して、または接続切替の際に、前記通知手段は、第２のシグナリング情報を前記第１の上位ネットワークユニット（５０）に伝送し、前記第２のシグナリング情報によって、前記接続切替の際に、伝送特化情報を前記第２の上位ネットワークユニット（５５）に伝送すべきか否かを、前記第１の上位ネットワークユニット（５０）に通知する、請求項１から３のいずれか１項に記載の移動局（１０）。
【請求項５】
前記移動局（１０）と前記第１の基地局（２５）との間でのデータ単位の伝送のための接続形成に先行して、またはこの接続形成の際に、前記第１の上位ネットワークユニット（５０）から伝送される第１のシグナリング情報を受信する受信手段を前記移動局（１０）はさらに備え、前記第１のシグナリング情報によって、前記第１の上位ネットワークユニット（５０）とは異なる新たな上位ネットワークユニットを有する基地局への接続切替の際に、伝送特化情報を前記新たな上位ネットワークユニットに伝送すべきか否かが、前記移動局（１０）に通知される、請求項１から４のいずれか１項に記載の移動局（１０）。
【請求項６】
前記接続切替に先行して、または前記接続切替の際に、前記受信手段は、前記第１の上位ネットワークユニット（５０）から伝送される第２のシグナリング情報を受信し、前記第２のシグナリング情報によって、前記接続切替の際に、伝送特化情報を前記第２の上位ネットワークユニット（５５）に伝送すべきか否かが、前記移動局（１０）に通知される、請求項５に記載の移動局（１０）。
【請求項７】
移動局（１０）と第１の基地局（２５）との間で有効データを伝送し、該有効データはその伝送に先行してデータ単位にまとめられる、移動無線通信ネットワークシステム（１）において、
前記データ単位の伝送のために伝送の現在の状態を表す伝送特化情報を、前記移動局（１０）内に、及び、前記第１の基地局（２５）の上位にある第１のネットワークユニット（５０）内に格納し、
前記移動局（１０）を前記第１の基地局（２５）から第２の上位ネットワークユニット（５５）を有する第２の基地局（３０）へ接続切替する際に、接続切替後の伝送が伝送の現在の状態からの直接の継続であるようにするために、前記第１の上位ネットワークユニット（５０）に格納された伝送特化情報を前記第２の上位ネットワークユニット（５５）に伝送する、ことを特徴とする移動無線通信ネットワークシステム（１）。
【請求項８】
前記データ単位の伝送に先行して前記データ単位の各々に付加される制御情報であって、当該制御情報の伝送に先行して差分符号化によって圧縮される前記制御情報の符号化及び復号のために、前記第１の上位ネットワークユニット（５０）内に格納されるのと同一のコードブック（１５０）を前記移動局（１０）に格納し、
前記第１の上位ネットワークユニット（５０）に格納されたコードブック（１５０）を、前記接続切替の際に、伝送特化情報とともに前記第２の上位ネットワークユニット（５５）に伝送する、請求項７記載の移動無線通信ネットワークシステム（１）。
【請求項９】
前記移動局（１０）と前記第１の基地局（２５）との間でのデータ単位の伝送のための接続形成に先行して、またはこの接続形成の際に、第１のシグナリング情報を前記移動局（１０）から前記第１の上位ネットワークユニット（５０）に伝送し、
前記移動局（１０）から、前記第１のシグナリング情報によって、前記第１の上位ネットワークユニット（５０）とは異なる新たな上位ネットワークユニットを有する基地局への接続切替の際に、前記新たな上位ネットワークユニットに対して伝送特化情報を伝送すべきか否かを、前記第１の上位ネットワークユニット（５０）に通知する、請求項７または８に記載の移動無線通信ネットワークシステム（１）。
【請求項１０】
前記接続切替に先行して、または接続切替の際に、第２のシグナリング情報を前記移動局（１０）から前記第１の上位ネットワークユニット（５０）に伝送し、
前記移動局（１０）から、前記第２のシグナリング情報によって、前記接続切替の際に、伝送特化情報を前記第２の上位ネットワークユニット（５５）に伝送すべきか否かを、前記第１の上位ネットワークユニット（５０）に通知する、請求項７から９のいずれか１項に記載の移動無線通信ネットワークシステム（１）。
【請求項１１】
前記第１の上位ネットワークユニット（５０）内に制御目的でバッファ記憶されたデータ単位を、前記接続切替の際に、伝送特化情報とともに前記第２の上位ネットワークユニット（５５）に伝送する、請求項７から１０のいずれか１項に記載の移動無線通信ネットワークシステム（１）。
【請求項１２】
前記接続切替の際に、前記第１の上位ネットワークユニット（５０）のコンバージェンスプロトコル層（１２５）の１つのユニットから前記第２の上位ネットワークユニット（５５）のコンバージェンスプロトコル層の１つのユニットへ伝送特化情報を伝送する、請求項７から１１のいずれか１項に記載の移動無線通信ネットワークシステム（１）。
【請求項１３】
前記接続切替の際に、前記第１の上位ネットワークユニット（５０）と前記第２の上位ネットワークユニット（５５）との間の固定ネットワーク（８５，８６，８７）を介して伝送特化情報を伝送する、請求項７から１２のいずれか１項に記載の移動無線通信ネットワークシステム（１）。
【請求項１４】
前記移動局（１０）と前記第１の基地局（２５）との間でのデータ単位の伝送のための接続形成に先行して、またはこの接続形成の際に、第１のシグナリング情報を前記第１の上位ネットワークユニット（５０）から前記基地局（１０）に伝送し、前記第１のシグナリング情報によって、前記第１の上位ネットワークユニット（５０）とは異なる新たな上位ネットワークユニットを有する基地局への接続切替の際に、伝送特化情報を前記新たな上位ネットワークユニットに伝送すべきか否かを、前記移動局（１０）に通知する、請求項７から１３のいずれか１項に記載の移動無線通信ネットワークシステム（１）。
【請求項１５】
前記接続切替に先行して、または前記接続切替の際に、第２のシグナリング情報を前記第１の上位ネットワークユニット（５０）から前記移動局（１０）に伝送し、前記第２のシグナリング情報によって、前記接続切替の際に、伝送特化情報を前記第２の上位ネットワークユニット（５５）に伝送すべきか否かを、前記移動局（１０）に通知する、請求項７から１４のいずれか１項に記載の移動無線通信ネットワークシステム（１）。